(57)【要約】  電子読み出し専用メモリカードもまた結合されそして読み出され得るカードリーダに結合されそして読み出され得るホログラフィック読み出し専用メモリカードを記載する。ホログラフィック読み出し専用メモリカードは：ホログラフィック記憶媒体を受けるためのコンパートメントを有するハウジング；ホログラフィックデータが記憶されたホログラフィック記憶媒体；および、必要に応じて、ホログラフィック読み出し専用メモリカードが電子カードリーダに結合されたときにカードリーダによって読み出され得る電子メモリコンポーネントを有する電子パネル部材を含む。ハウジングは、１つ以上のカード位置決め部材を含み、それにより、ホログラフィックデータが読み出され得るようにホログラフィック読み出し専用メモリカードが電子カードリーダに結合されるたびにホログラフィック読み出し専用メモリカードを繰り返し配置する。
2010533341.tif 000002
【特許請求の範囲】
【請求項１】
ホログラフィック読み出し専用メモリカードを含むデバイスであって、該ホログラフィック読み出し専用メモリカードがカードリーダに結合されそして読み出され得、該カードリーダに電子読み出し専用メモリカードもまた結合されそして読み出され得、該ホログラフィック読み出し専用メモリカードが、
ホログラフィック記憶媒体を受けるためのコンパートメントを有するハウジング；および、
ホログラフィックデータが記憶されたホログラフィック記憶媒体
を含み、
該ハウジングが、１つ以上のカード位置決め部材を含み、それにより、ホログラフィックデータが読み出され得るように該ホログラフィック読み出し専用メモリカードが該カードリーダに結合される毎に該ホログラフィック読み出し専用メモリカードを繰り返し配置する、
デバイス。
【請求項２】
前記ハウジングが、ホログラフィック記憶媒体を受けるための保持セクションを備える凹型内側コンパートメントを有する、請求項１に記載のデバイス。
【請求項３】
電気接触インターフェースを含む略長方形状パネル部材をさらに含み、前記ハウジングが略長方形状であり、そして該パネル部材を受けそして保持するための略長方形状凹型部分を備える、請求項２に記載のデバイス。
【請求項４】
前記パネル部材を受けそして保持するための凹型部分が、該パネル部材が収容されるショルダーを含む、請求項３に記載のデバイス。
【請求項５】
前記ハウジングが、第１側面エッジおよび該第１側面エッジから横方向に間隔を空けて配置された第２側面エッジを含み、そして該第１および第２側面エッジの少なくとも１つが、１つ以上の左右方向カード位置決め部材を備える、請求項１に記載のデバイス。
【請求項６】
相互に横方向に間隔を空けて配置され、かつ前記第１および第２側面エッジのうちの１つに形成されている、少なくとも２つの左右方向カード位置決め部材が存在する、請求項５に記載のデバイス。
【請求項７】
前記ハウジングが、前記第１および第２側面エッジによって規定される幅であって、対応する電子読み出し専用メモリカードの幅よりも広い幅を有する、請求項５に記載のデバイス。
【請求項８】
前記ハウジングが、上面および下面セクションを含み、そして該下面および上面セクションのうちの１つが、前記第１側面エッジに隣接しかつ第１左右方向カード位置決め面を有する第１側面部分、および前記第２側面エッジに隣接しかつ第２左右方向カード位置決め面を有する第２側面部分を有する、請求項５に記載のデバイス。
【請求項９】
前記第１および第２左右方向カード位置決め面が凹型である、請求項８に記載のデバイス。
【請求項１０】
前記下面および上面セクションのうちの１つが、横方向に間隔を空けて配置された一対の隆起部を含み、各隆起部が前記第１および第２側面エッジのうちの１つに沿って伸長し、そして前記第１および第２左右方向カード位置決め面のうちの１つが、各隆起部および各側面エッジの結合部で形成される、請求項９に記載のデバイス。
【請求項１１】
前記下面および上面セクションのうちの１つが該上面セクションを含み、そして前記第１および第２左右方向カード位置決め面が、上下方向位置決め面としても機能する、請求項８に記載のデバイス。
【請求項１２】
ホログラフィック読み出し専用メモリカードを含むデバイスであって、該ホログラフィック読み出し専用メモリカードがカードリーダに結合されそして読み出され得、電子読み出し専用メモリカードもまた該カードリーダに結合されそして読み出され得、該ホログラフィック読み出し専用メモリカードが、
ホログラフィック記憶媒体を受けるためのコンパートメントを有するハウジング；および、
ホログラフィックデータが記憶されたホログラフィック記憶媒体；および、
該ホログラフィック読み出し専用メモリカードが電子カードリーダに結合されたときに該カードリーダに読み出され得る電子メモリコンポーネントを有する電子パネル部材
を含み、
該ハウジングが、１つ以上のカード位置決め部材を含み、それにより、ホログラフィックデータが読み出され得るように該ホログラフィック読み出し専用メモリカードが該電子カードリーダに結合される毎に該ホログラフィック読み出し専用メモリカードを繰り返し配置する、
デバイス。
【請求項１３】
前記ハウジングが、ホログラフィック記憶媒体を受けるための保持セクションを備える凹型内側コンパートメントを有する、請求項１２に記載のデバイス。
【請求項１４】
電気接触インターフェースを含む略長方形状電子パネル部材をさらに含み、前記ハウジングが略長方形状であり、そして該電子パネル部材を受けそして保持するための略長方形状凹型部分を備える、請求項１３に記載のデバイス。
【請求項１５】
前記電子パネル部材を受けそして保持するための凹型部分が、該パネル部材が収容されるショルダーを含む、請求項１４に記載のデバイス。
【請求項１６】
前記電子パネル部材が、電子メモリコンポーネントを含み、そして前記凹型コンパートメントが、該電子パネル部材を受けそして保持するための前記凹型部分の前記ショルダーに該電子パネル部材が収容されたときに、該電子メモリコンポーネントがはめ込まれる部分を含む、請求項１５に記載のデバイス。
【請求項１７】
前記ハウジングが第１側面エッジおよび該第１側面エッジから横方向に間隔を空けて配置された第２側面エッジを含み、そして該第１および第２側面エッジの少なくとも１つが、１つ以上の左右方向カード位置決め部材を備える、請求項１２に記載のデバイス。
【請求項１８】
相互に横方向に間隔を空けて配置され、かつ前記第１および第２側面エッジのうちの１つに形成されている、少なくとも２つの左右方向カード位置決め部材が存在する、請求項１７に記載のデバイス。
【請求項１９】
前記ハウジングが、前記第１および第２側面エッジによって規定される幅であって、対応する電子読み出し専用メモリカードの幅よりも広い幅を有する、請求項１７に記載のデバイス。
【請求項２０】
前記ハウジングが、上面および下面セクションを含み、そして該下面および上面セクションのうちの１つが、前記第１側面エッジに隣接しかつ第１左右方向カード位置決め面を有する第１側面部分、および前記第２側面エッジに隣接しかつ第２左右方向カード位置決め面を有する第２側面部分を有する、請求項１８に記載のデバイス。
【請求項２１】
前記第１および第２横方向カード位置決め面が凹型である、請求項２０に記載のデバイス。
【請求項２２】
前記下面および上面セクションのうちの１つが、横方向に間隔を空けて配置された一対の隆起部を含み、各隆起部が前記第１および第２側面エッジのうちの１つに沿って伸長し、そして前記第１および第２左右方向カード位置決め面のうちの１つが、各隆起部および各側面エッジの結合部で形成される、請求項２１に記載のデバイス。
【請求項２３】
前記下面および上面セクションのうちの１つが該上面セクションを含み、そして前記第１および第２左右方向カード位置決め面が、上下方向位置決め面としても機能する、請求項２１に記載のデバイス。
【請求項２４】
前記電子メモリコンポーネントが、読み出され得るデータを収容する、請求項１２に記載のデバイス。
【請求項２５】
前記電子メモリコンポーネントが、データを記憶し得る、請求項１２に記載のデバイス。
【請求項２６】
前記記憶されたデータが変更可能である、請求項２５に記載のデバイス。
【請求項２７】
前記記憶されたデータが恒久的に記憶されている、請求項２５に記載のデバイス。
【請求項２８】
前記電子メモリコンポーネントが次の１つ以上を行い得る、請求項１２に記載のデバイス：データを収容；データを記憶、または記憶されたデータを変更。
【請求項２９】
前記電子メモリコンポーネントが、不揮発性電子メモリコンポーネントを含む、請求項１２に記載のデバイス。
【請求項３０】
前記不揮発性電子メモリコンポーネントが、データを記録し得る、請求項２９に記載のデバイス。
【発明の詳細な説明】
【技術分野】
【０００１】
関連出願への相互参照
本出願は、同時係属中の米国仮特許出願：「A METHOD FOR ENABLING MEDIA BACKWARDS COMPATIBILITY BY DUAL-USE MEDIA SOCKET DESIGN（媒体の二重用途媒体ソケットデザインによる後方互換可能化のための方法）」という発明の名称で2007年7月10日に出願された米国仮出願番号60/948,769号を参照し、そしてその優先日を主張する。その開示および内容の全体は、参照として本明細書に援用される。
【０００２】
共同研究の同意の陳述
37C.F.R（米国特許法施行規則）第1.71条(g)(1)に従って、本願発明は、インフェイズ  テクノロジーズ  インコーポレイテッドおよび任天堂株式会社により、またはインフェイズ  テクノロジーズ  インコーポレイテッドおよび任天堂株式会社を代表して、本願発明がなされた日以前に有効となった共同研究の同意（35U.S.C.（米国特許法）第103条(c)(3)に規定される）に従って、そして共同研究の同意の範囲内でなされた活動の結果としてなされたとの開示を、本明細書中に行う。
【０００３】
本発明は、一般に、電子読み出し専用メモリカードもまた結合され読み出され得る、カードコネクタに結合されそしてカードリーダによって読み出され得るホログラフィック読み出し専用メモリカードに関する。
【背景技術】
【０００４】
データ内容が予め記録されたリムーバブル媒体を使用する電子機器の供給者は、アップデートされたまたは新規開発の媒体技術を使用するそれらの製品のより新しいバージョンを開発する場合、後方互換性の問題に直面し得る。例えば、コンピュータまたはビデオゲームステーションコンソールのメーカーは、記憶容量、大きさおよびコスト減少における最新の改良版を使用し、しかも彼らの従来の顧客が以前購入した媒体を使用し得るようなデバイスのより新しいバージョンを発売することで、これらの顧客がより新しいバージョンのデバイスを購入する意欲を高めることを望み得る。その結果、より新しい製品は、製品ラインのライフサイクルの進化における異なる時期に開発された異なる媒体に適応する複数の媒体スロットを有するように設計され得、いくつかは最新の技術に適応し、そして他はより古い旧式であり得る媒体に適応している。
【発明の概要】
【発明が解決しようとする課題】
【０００５】
したがって、そのようなより新しい媒体技術において、そのようなより最近の（より新しい）媒体を読み出すデバイスにより初期の（より古い）媒体を読み出す後方互換性を付与する能力を提供することが望ましい。
【課題を解決するための手段】
【０００６】
本発明の第１の広い局面によれば、ホログラフィック読み出し専用メモリカードを含むデバイスであって、該ホログラフィック読み出し専用メモリカードがカードリーダに結合されそして読み出され得、該カードリーダに電子読み出し専用メモリカードもまた結合されそして読み出され得、該ホログラフィック読み出し専用メモリカードが、
ホログラフィック記憶媒体を受けるためのコンパートメントを有するハウジング；および、
ホログラフィックデータが記憶されたホログラフィック記憶媒体
を含み、
該ハウジングが、１つ以上のカード位置決め部材を含み、それにより、ホログラフィックデータが読み出され得るように該ホログラフィック読み出し専用メモリカードが該カードリーダに結合される毎に該ホログラフィック読み出し専用メモリカードを繰り返し配置する、
デバイスが、提供される。
【０００７】
本発明の第２の広い局面によれば、ホログラフィック読み出し専用メモリカードを含むデバイスであって、該ホログラフィック読み出し専用メモリカードがカードリーダに結合されそして読み出され得、電子読み出し専用メモリカードもまた該カードリーダに結合されそして読み出され得、該ホログラフィック読み出し専用メモリカードが、
ホログラフィック記憶媒体を受けるためのコンパートメントを有するハウジング；および、
ホログラフィックデータが記憶されたホログラフィック記憶媒体；および、
該ホログラフィック読み出し専用メモリカードが電子カードリーダに結合されたときに該カードリーダに読み出され得る電子メモリコンポーネントを有する電子パネル部材
を含み、
該ハウジングが、１つ以上のカード位置決め部材を含み、それにより、ホログラフィックデータが読み出され得るように該ホログラフィック読み出し専用メモリカードが該電子カードリーダに結合される毎に該ホログラフィック読み出し専用メモリカードを繰り返し配置する、
デバイスが、提供される。
【図面の簡単な説明】
【０００８】
【図１】フラッシュまたは電気ＲＯＭメモリカード（ＥＲＯＭカード）の代表的な実施態様の底面斜視図である。
【図２】図１のカードの上面斜視図である。
【図３】図１〜２のカードの電気接触インターフェース端面図である。
【図４】ホログラフィック読み出し専用メモリ（ＨＲＯＭ）カードの電子パネル部材がハウジングから分離した実施態様の斜視図である。
【図５】図４のＨＲＯＭカードの底面斜視図である。
【図６】図５に示すＨＲＯＭカードの別の底面斜視図である。
【図７】図１〜３のＥＲＯＭカードおよび図４〜６のＨＲＯＭカードの構成を比較する並列底面斜視図である。
【図８】図７のＨＲＯＭおよびＥＲＯＭカードを重ね合わせた上面斜視図である。
【図９】図８の重ね合わせたＨＲＯＭおよびＥＲＯＭカードを逆さにした側面図である。
【図１０】完全に挿入されたカード位置で図１〜３のＥＲＯＭカードを示すカードコネクタの実施態様の上面斜視図である。
【図１１】図１０に示すカードコネクタの実施態様の底面斜視図である。
【図１２】カードコネクタの実施態様のコンポーネントの１つを示す図１１と同様の底面斜視図である。
【図１３】図１０と同様の上面斜視図であるが、ＥＲＯＭカードがカードコネクタ内にどのようにはめ込まれるか、およびカードコネクタの機構および／またはコンポーネントとどのように共働するかをよりよく図解する、カードコネクタのコンポーネントが取り外された実施態様を示す。
【図１４】図１３と同様の図であるが、カードコネクタからＥＲＯＭカードが取り外された（すなわち、完全に取り出されたカード位置の）実施態様を示す。
【図１５】図１４に示される特定の機構をよりよく図解する、図１４の一部を拡大した裁ち切り図である。
【図１６】図１４および１５に示す取り出し／保持メカニズムの下面を拡大した図である。
【図１７】カードコネクタの実施態様の他の機構および／またはコンポーネントとの共働における図１４〜１６に示す取り出し／保持メカニズムをさらに図解する、図１４の側断面図である。
【図１８】完全に挿入されたカード位置にあるときにＥＲＯＭカードまたはＨＲＯＭカードを繰り返し位置決めする機構を図解する、図１０から１１に示す実施態様のカードコネクタのコンポーネントの１つの下面斜視図である。
【図１９】完全に挿入されたカード位置にあるときにＥＲＯＭカードまたはＨＲＯＭカードを繰り返し位置決めする特定機構をよりよく図解する、図１８の円部分を拡大した図である。
【図２０】図１０のカードコネクタの実施態様の上面斜視図であるが、完全に挿入されたカード位置にある図４〜６のＨＲＯＭカードを示す図である。
【図２１】図１３および２０と同様の上面斜視図であるが、ＨＲＯＭカードがカードコネクタ内にどのようにはめ込まれるか、およびカードコネクタの他の機構および／またはコンポーネントとどのように共働するかをよりよく図解するために、カードコネクタの機構および／またはコンポーネントが取り外された実施態様を示す。
【発明を実施するための形態】
【０００９】
本発明を、添付の図面と併せて説明する。
【００１０】
本発明を説明する前に、いくつかの用語を定義することが好都合である。本出願を通して以下の定義が用いられることが理解されるべきである。
【００１１】
定義
用語の定義が、その用語が一般的に用いられる意味から逸脱する場合には、特に示さない限り、出願人は以下に提供される定義を利用することを意図する。
【００１２】
本発明の目的のために、「上面」、「下面」、「側面」、「前部」、「前面」、「前方」、「後部」、「後方」、「背面」、「後端」、「上」、「下」、「左」、「右」、「水平の」、「垂直の」、「上向き」、「下向き」などのような方向の用語は、本発明の種々の実施態様の説明において、単に便宜上用いられる。本発明の実施態様は、種々の方向に向けられ得る。例えば、図１〜２１に示す実施態様は、反転、任意の方向に９０度回転などされ得る。
【００１３】
本発明の目的のために、用語「ディスク」とは、円盤状のホログラフィック記憶媒体をいう。
【００１４】
本発明の目的のために、用語「ホログラフィック格子」、「ホログラフ」または「ホログラム」（本明細書では以後、総称してかつ互換的に「ホログラム」という）とは、信号ビームおよび参照ビームが相互に干渉する場合に形成される干渉縞パターンをいう従来の意味で用いられる。デジタルデータがページワイズ（page-wise）で記録されている場合、信号ビームは、例えば空間光変調器（ＳＬＭ）などのデータ変調器で符号化され得る。
【００１５】
本発明の目的のために、用語「記憶媒体」は、例えばホログラフィック記憶媒体などの、データ（情報、操作可能なプログラム（例えば、ソフトウエア）の形であり得る）を記憶することが可能な任意のコンポーネント、材料などをいう。
【００１６】
本発明の目的のために、用語「ホログラフィック記憶媒体」とは、１以上のホログラム（例えば、ビットワイズ（bit-wise）、直線アレイワイズ（linear array-wise）またはページワイズ）を、媒体の中にインプリントされた屈折率変化の１つ以上のパターンとして記録および記憶することが可能な少なくとも１つのコンポーネント、材料、層などを有する媒体をいう。本明細書で有用なホログラフィック媒体の例としては：米国特許第6,103,454号（Dharら）（2000年8月15日発行）;米国特許第6,482,551号（Dharら）（2002年11月19日発行）;米国特許第6,650,447号（Curtisら）（2003年11月18日発行）；米国特許第6,743,552号（Setthachayanonら）（2004年6月1日発行）;米国特許第6,765,061号（Dharら）（2004年7月20日）;米国特許第6,780,546号（Trentlerら）（2004年8月24日発行）;米国特許出願第2003/0206320号（Coleら）（2003年11月6日公開）；および米国特許出願第2004/0027625号（Trentlerら）（2004年2月12日公開）（これらの内容および開示の全体が、参照により本明細書中に援用される）に記載のものが挙げられるが、これらに限定されない。ホログラフィック記憶媒体は、以下に挙げられる任意の種類のホログラフィック記憶媒体であり得る：透明ホログラフィック記憶媒体、複数のコンポーネントまたは層（反射層など）を含むホログラフィック記憶媒体、反射が偏光で制御されるように反射層および偏光層を含むホログラフィック記憶媒体、光ビームに通過され、光ビームを吸収し、光ビームを反射し、光ビームに透明化されるなどし得る種々のビーム透過層、光ビームを反射するための格子層、基板、サーボマーキングされた基板などを含むホログラフィック記憶媒体。
【００１７】
本発明の目的のために、用語「ホログラフィック記録」とは、ホログラフィック記憶媒体にホログラムを記録する動作をいう。ホログラフィック記録は、ビットワイズ記憶（すなわち、１ビットのデータの記録）を提供し得るか、１次元直線アレイのデータ（すなわち、１×Ｎアレイ、ここでＮは直線データビット数である）の記憶を提供し得るか、または１ページのデータの２次元記憶を提供し得る。
【００１８】
本発明の目的のために、用語「プロセッサ」とは、例えば、命令の実行、ロジックの実装、値の計算および記憶などをすることが可能なデバイスをいう。プロセッサの例としては、特定用途向け集積回路（ＡＳＩＣ）、中央演算処理装置、マイクロプロセッサ（例えば、インテルおよびＡＭＤから入手可能なマイクロプロセッサなど）などが挙げられる。
【００１９】
本発明の目的のために、用語「データを読み出す」とは、記憶媒体（例えば、ホログラフィック記憶媒体）に記憶されたデータ（例えば、ホログラフィックデータ）を復元、回復または再構成することをいい、そのような復元、回復または再構成されたデータを使用し、表示することなどを含み得る。
【００２０】
本発明の目的のために、用語「データを記録」とは、データ（例えば、ホログラフィックデータ）を記憶媒体（例えば、ホログラフィック記憶媒体）に記憶させまたは書き込むことをいう。
【００２１】
本発明の目的のために、用語「デバイス」とは、装置、メカニズム、機器、機械、エレメントの組み合わせ、コンポーネントなどをいい得る。
【００２２】
本発明の目的のために、用語「ホログラフィック記憶システムまたはデバイス」とは、ホログラフィックデータを記録（記憶）し得るか、ホログラフィックデータを読み出し（回復）し得るか、またはホログラフィックデータを記録（記憶）および読み出し（回復）し得るシステムまたはデバイスをいう。
【００２３】
本発明の目的のために、用語「媒体内容ラベル」とは、媒体カードに貼られた、カードのデータ内容を記載する情報を示すラベルをいう。
【００２４】
本発明の目的のために、用語「フラッシュメモリ」とは、電気的に消去されおよび再プログラムされ得る不揮発性コンピュータメモリをいう。
【００２５】
本発明の目的のために、用語「ＲＯＭ」とは、読み出し専用メモリをいう。ＲＯＭは、（少なくとも非常に素早くまたは簡単には）修正できないメモリ、複数回消去および再プログラムし得るメモリ（例えば、消去可能プログラム可能読み出し専用メモリ（ＥＰＲＯＭ）およびフラッシュ電気的消去可能プログラム可能読み出し専用メモリ（ＥＥＰＲＯＭ）など）などを含み得る。
【００２６】
本発明の目的のために、用語「ＳＳＭ」とは、電子メモリカードなどの固体メモリデバイスをいう。
【００２７】
本発明の目的のために、用語「ＥＲＯＭまたはＥ−ＲＯＭ」とは、電子または固体読み出し専用メモリデバイスをいう。
【００２８】
本発明の目的のために、用語「Ｈ−ＲＯＭ」または「ＨＲＯＭ」とは、ホログラフィック読み出し専用メモリデバイスをいう。
【００２９】
本発明の目的のために、用語「互換カード」とは、所定のカードコネクタにおいて交換可能に用いられ得、したがってそのカードコネクタと「互換性」があるメモリカードをいう。
【００３０】
本発明の目的のために、用語「後方互換」、「後方互換性」などとは、（形、メカニズム、機能、ハードウエア、ソフトウエア、技術などの点で）より最近の（より新しい）カード設計と比較して、（形、メカニズム、機能、ハードウエア、ソフトウエア、技術などの点で）より初期の（より古い）設計のメモリカードであるが、そのより古いカードのために設計されたか、またはより新しいカードとより古いカードのどちらにも対応するように設計されたカードコネクタと互換的に機能し得ることをいう。
【００３１】
本発明の目的のために、用語「メモリカード」とは、固体電子および／またはホログラフィックメモリデータ記憶デバイスをいい、デジタルカメラ、ハンドヘルドおよびポータブル（モバイル）コンピュータ、携帯情報端末（ＰＤＡ）、電話機、音楽プレーヤー、ビデオゲームプレーヤーなど、ならびにそれらの組み合わせで用いられ得る。
【００３２】
本発明の目的のために、用語「カードリーダ」とは、メモリカード内にあるデータ、プログラムなどを表示し、印刷し、使用し、操作し、作動させるなどするように、メモリカードを読み出すデバイスをいう。
【００３３】
本発明の目的のために、用語「カードコネクタ」（交換可能に「カードソケット」ともいう）とは、メモリカードを受け、メモリカードに結合され、その中にメモリカードが挿入されるなどし、そしてメモリカードがカードリーダによって読み出されることを可能にするデバイスをいう。いくつかの実施態様では、カードコネクタは、カードリーダに単に電子的に接続される、カードリーダと一体化されたもの、または構造的にカードリーダの一部であるなどであり得る。
【００３４】
本発明の目的のために、用語「完全に挿入されたカード位置」とは、カードコネクタ内にメモリカードが完全に挿入され、ロックされた位置にあり、カードリーダによってメモリカードが読み出され得るときをいう。
【００３５】
本発明の目的のために、用語「部分的に挿入されたカード位置」とは、カードコネクタ内にメモリカードが部分的にまたは完全に挿入されているがロックされた位置になく、カードリーダによってメモリカードが読み出し可能であってもなくてもよいときをいう。
【００３６】
本発明の目的のために、用語「完全に取り出されたカード位置」とは、メモリカードがカードコネクタ内から完全に、完璧に、全体的になど取り出された位置にあり、カードリーダによってメモリカードが読み出されないときをいう。
【００３７】
本発明の目的のために、用語「部分的に取り出されたカード位置」とは、メモリカードがカードコネクタ内から部分的に（しかし完全にではなく）取り出さ、カードリーダによってメモリカードが読み出されないときをいう。
【００３８】
本発明の目的のために、用語「カード位置決め部材」とは、カードコネクタ内に完全に挿入されたカード位置にあるときに、メモリカードを繰り返し位置決めするために用いられ得る、１つ以上のエレメント、機構、面、凹部、切欠部、突起部などをいう。カード位置決め部材は、メモリカードを、左右方向、上下方向、前後方向などの１以上に繰り返し位置決めし得る。
【００３９】
本発明の目的のために、用語「繰り返し位置決めする」とは、メモリカードが、完全に挿入されたカード位置にあるときに、カードリーダがメモリカードのデータを再生可能な一貫した正しい方法で読み出し得るように、毎回カードコネクタ内に配置されることをいう。
【００４０】
本発明の目的のために、用語「非変形状態」とは、いかなるバイアス力も付与されていない、エレメント、機構、コンポーネント、セグメントなどの位置をいう。
【００４１】
本発明の目的のために、用語「変形状態」とは、任意のバイアス力（例えば、下記のように、セグメント１３２２の非結合端を圧迫するリンク１３３８／シャフト１５０４による）が付与された、エレメント、機構、コンポーネント、セグメントなどの位置をいう。
【００４２】
本発明の目的のために、用語「ポータブル電子デバイス」とは、比較的移動させやすく、ユーザーによってある場所から別の場所へと比較的容易に運ばれ得る電子デバイスをいう。ポータブル電子デバイスとしては、例えば、デジタルカメラ、ポータブルまたはラップトップコンピュータ、携帯情報端末（ＰＤＡ）、ビデオゲームプレーヤーなどが挙げられ得る。
【００４３】
説明
デジタルカメラ、ポータブルまたはラップトップコンピュータ、携帯情報端末（ＰＤＡ）、ビデオゲームプレーヤーなどのようなポータブル電子デバイスにおいて、電子メモリカード（例えば、ＥＲＯＭカード）は、電子データ、操作可能なプログラムなどを、記憶する、ダウンロードする、スワッピングするなどのために提供され得る。電子メモリカードを（カードリーダを利用することによって）読み出しおよび利用するために、ポータブルデバイスがメモリカードを受けるためのカードコネクタを提供することが必要であり得る。カードコネクタは、カードリーダに単に電子的に接続されるか、あるいはカードコネクタは、カードリーダと一体であるか、またはカードリーダの一部を形成する。例えば、カードコネクタは、メモリカードの読み出しが可能なポータブル電子デバイス内のマイクロプロセッサに、メモリカードを電子的に接続する能力を提供し得る。さらに、カードコネクタは、異なる長さ、幅、厚さ、形、構成、機能、結合などを有する、また、多くの異なるタイプのポータブル電子デバイスで用いられ得る複数の電子メモリカードに対応することが必要であり得る。例えば、異なる長さ、幅、厚さ、形、構成、機能、結合などを有する４つ以上の異なる電子メモリカードを受けることができるとして図解された、電子メモリカードのためのソケットデバイスの形状のカードコネクタを記載する、米国特許第6,386,920号（Sun）（2002年5月14日発行）を参照のこと。
【００４４】
これらのポータブル電子デバイスの少なくともいくつかで、電子メモリカードに代えてホログラフィックメモリカードが用いられ得る。ホログラフィックメモリカードは、電子メモリカードよりも著しく多くのデータを記憶する能力を提供する；（より初期の電子メモリカードと比較して）改良された機構を提供する；よりアップデートされたまたは最新のバージョンのプログラムを提供する；より恒久的であるかまたは例えば偶然に（もしくは故意に）消去もしくはコピーすることが少なくともより難しいメモリ記憶を提供して、メモリカードに記憶されたどんなデータ、プログラムなども複製しまたは「海賊版化」する（または、記憶されたデータ、プログラムなどをユーザーが偶然に失う）ことをより困難にするなどし得る。しかし、電子メモリカードが相当に長い間用いられているため、そしてそのような電子メモリカードを用いるポータブルデバイスは多くの異なったユーザーによって所有され得るため、ホログラフィックメモリカードのみによって使用するポータブルデバイスを単純に構築するのは非実用的であり得る。また、場合によっては、電子メモリカード、特に既存の電子メモリカードをポータブルデバイス（デジタルカメラ、ポータブルコンピュータ、ビデオゲームプレーヤーなど）でいまなお使用および読み出しできることが、ポータブルデバイスのユーザーにとって望ましいことであり得る。
【００４５】
ホログラフィックメモリカード、およびそのようなカードを読み出し、使用し、受け、結合などするための既存の電子メモリカードと互換性のあるカードコネクタの製造には、課題が存在し得る。例えば、ホロフラフィックメモリカード設計は、既存の電子メモリカードがカードコネクタ内に挿入され得、そして次いでホログラフィックメモリカードのために設計されたカードリーダによって読み出され得るように、既存の電子メモリカードと十分に類似するように（しかし必ずしも同一ではない）なされる必要があり得る。さらに、変更されないデータがホログラフィックメモリカードのホログラフィック記憶媒体に恒久的に記憶され得るが、いくらかのデータ（使用中および経時的に変更し得または変更され得る（例えば、日付、スコアなど）；および恒久的にまたは一時的に記憶される、他のデバイスに転送されることなどが必要であり得る）は、少なくともいくらかの電子メモリ変更能力を必要とし得る。例えば、メモリカード（ならびに、メモリカードを受けそして読み出すカードリーダおよび関連するカードコネクタ）は、ホログラフィック記憶媒体を読み出す能力、ならびに使用中および経時的に少なくともいくらかのデータが変更可能、および将来の読み出し、変更などのために記憶可能であり得るように、メモリカードの電子メモリコンポーネントにおける電子データを読み出しおよび／または記憶する能力の両方を組み込み得る。
【００４６】
図１〜３は、既存の電子メモリまたは固体メモリ（ＳＳＭ）電子読み出し専用メモリ（ＥＲＯＭ）記憶カードの実施態様を図解する。図４〜９は、ホログラフィック読み出し専用メモリ記憶カード（ＨＲＯＭ）の実施態様が、ＥＲＯＭおよびＨＲＯＭカードの両方を同じカードコネクタおよび／またはカードリーダで使用できるように、どのように設計され得るかを図解する。ＨＲＯＭカードに記録、記憶などされたデータ、プログラムなどは、ホログラフィック読み出しデバイスまたはシステム（例えば、米国特許出願第2006/0279823号（Rileyら）（2006年12月14日公開）および米国特許出願第2006/0238841号（Andersonら）（2006年12月14日公開）（これらの内容および開示の全体が、参照により本明細書中に援用される）に記載されたもの）によって読み出しおよび使用され得る。一方、ＥＲＯＭカードは、カードコネクタによって受けられ、またはカードコネクタに挿入されるなどし、そして別の電気的接続を通して、および別の電子デバイスまたはシステムによって読み出され得る。例えば、電子メモリカードを受け／挿入するためのいくつかのカードコネクタを図解する、米国特許第7,118,394号（Yoneyamaら）（2006年10月10日発行）；米国特許第6,398,567号（Nishiumuraら）（2002年6月4日発行）；および米国特許出願第2003/0096521号（Kikuchiら）（2003年5月22日公開）（これらの内容および開示の全体が、参照により本明細書中に援用される）を参照のこと。
【００４７】
図１および図２は、代表的なフラッシュまたは電子ＲＯＭメモリカード（ＥＲＯＭカード）の実施態様の底面および上面斜視図を提供する（大まかに１００として示す）。図１および２を参照すると、ＥＲＯＭカード１００は、外側ハウジング（大まかに１０２として示す）を備え得る。ＥＲＯＭカード１００は、図１および２において、略正方形状の構成であるとして示されるが、他の形および構成（例えば、長方形など）でもあり得る。ＥＲＯＭ１００は、図１および２に、前端（leading）または前方電子コネクタエッジ１０４、前方エッジ１０４から横方向に間隔を空けて前方エッジ１０４と略平行に配置された後方または後端（trailing）エッジ１０８、および前方エッジ１０４と後方エッジ１０８とのそれぞれの一端を接続する第１側面エッジ１１２を有するハウジング１０２を含むものとして示される。ハウジング１０２は、第１側面エッジ１１２から横方向に間隔を空けて第１側面エッジ１１２と略平行に配置され、かつ前方エッジ１０４と後方エッジ１０８とのそれぞれの他方の端を接続する第２側面エッジ１１６、ならびに略正方形底面セクション１２０および同様に略正方形の上面セクション１２４もまた備える。
【００４８】
図１に示すように、下面セクション１２０は、電気接触インターフェース１２８を備える。電気接触インターフェース１２８は、前方エッジ１０４またはその近接部の下面セクション１２０の凹部１３０内に位置しており、第１側面エッジ１１２と第２側面エッジ１１６との間の幅よりもわずかに狭い幅を有する。第１側面エッジ１１２は、前方エッジ１０４と後方エッジ１０８との間の略立方形凹部１３２の形状の第１の保持および／または取り出し機構（図１に、前方エッジ１０４と後方エッジ１０８との間のほぼ中間にあるものとして示される）、および第１エッジ１１２が前方エッジ１０４に接続する位置またはその近接部に形成された切欠状の凹部の形状の第２の保持および／または取り出し機構１３６をその中に形成している。第２側面エッジ１１６は、前方エッジ１０４またはその近接部から後方エッジ１０８またはその近接部まで伸長する、略Ｌ状溝部１４０の形状のカード方向付け機構をその中に形成している。図２に示すように、上面セクション１２４は、媒体内容ラベル（１４４として示す）を備える。
【００４９】
図３は、図１および２のＥＲＯＭカード１００の電気接触インターフェースエッジまたは端面図であり、ＥＲＯＭカード１００の種々のガイド面を図解する。図３に示すように、ＥＲＯＭカード１００は、第１側面エッジ１１２に沿った第１側面ガイド面３１２、第２側面エッジ１１６に沿った第２側面ガイド面３１６、下面セクション１２０に沿った下面ガイド面３２０、および上面セクション１２４に沿った上面ガイド面３２４を有する。
【００５０】
図４は、ホログラフィックＲＯＭメモリカード（ＨＲＯＭカード）（大まかに４００として示す）の実施態様を示す。図４に示すように、ＨＲＯＭカード４００は、略長方形のハウジング（大まかに４０２として示す）を含む。ハウジング４０２は、凹型内側コンパートメント４０８を有し、これは、ホログラフィック記憶媒体４１６を受けるための保持セクション（大まかに４１２として示す）を備えるかまたはその中に形成している。ＨＲＯＭカード４００は、略長方形の電子パネル部材４２０（図４に、ハウジング４０２から取り外されたものとして示される）もまた含む。パネル部材４２０は、必要に応じて、電子フラッシュメモリコンポーネント（大まかに４２４として示す）を備え得る。電子フラッシュメモリコンポーネントは、例えば、フラッシュ電子「ユーザー」メモリをカード４００に提供（例えば、アップデート、アクセス日時などを提供）し、例えばＨＲＯＭカード４００を使用する間は、ＨＲＯＭカード４００がユーザーに販売、提供などされる前およびホログラフィックデータが媒体４１６に正常に記録、記憶などされる場合とは対照的に、ホログラフィック記憶媒体４１６に記録可能ではなくともよく、そして、電子パネル部材４２０がハウジング４０２に取り付けられ、固定されるなどする場合に、コンパートメント４０８の部分４２８内にはめ込まれる。図４にさらに示すように、ハウジング４０２は、電子パネルを受けそして保持するための上部略長方形凹部４３２を備えるかまたはその中に形成している。凹部４３２は、ＨＲＯＭカード４００が使える状態になるようにハウジング４０２に取り付け、固定などされる場合に、電子パネル部材４２０をその上に収容するための、ショルダー４３６を有する。
【００５１】
図５および６は、ＨＲＯＭカード４００の他の機構を図解する、図４のＨＲＯＭカード４００の別の底面斜視図を提供する。図５および６を参照して、ＨＲＯＭカード４００のハウジング４０２は、前端または前方エッジ５０４；前方エッジ５０４から横方向に間隔を空けて前方エッジ５０４と略平行に配置された後方または後端エッジ５０８；および前方エッジ５０４と後方エッジ５０８とのそれぞれの一端を接続する第１側面エッジ５１２を有する。図５および６に示すように、ハウジング４０２は、第１側面エッジ５１２から横方向に間隔を空けて第１側面エッジ５１２と略平行に配置され、かつ、前方エッジ５０４と後方エッジ５０８とのそれぞれの他方の端を接続する第２側面エッジ５１６もまた備える。電子パネル部材４２０は、ハウジング４０２に取り付け、固定などされて、ハウジング４０２の下面セクション５２０を満たす。下面セクション５２０（パネル部材４２０を含む）は略長方形状である。ハウジング４０２は、略長方形状上面セクション（大まかに５２４として示す）もまた備える。
【００５２】
図５に示すように、パネル部材４２０は前方エッジ５０４またはその近接部に、電気接触インターフェース（大まかに５２８として示す）を備える。第１側面エッジ５１２は、例えば、前方エッジ５０４と後方エッジ５０８との間（例えば、図５および６に示すように、前方エッジ５０４と後方エッジ５０８との間の略中間）の略立方形凹部５３２の形状の第１の保持および／または取り出し機構、および第１側面エッジ５１２が前方エッジ５０４に接続する位置またはその近接部に形成された凹部の形状の第２の保持および／または取り出し機構５３６を、その中に形成している。図５に示すように、第１側面エッジ５１２は、例えば、第２機構（凹部）５３６に近接してハウジング４０２に備えられるかまたはハウジング内に形成された突起部５４４の形状の、第１の左右（side-to-side）カード位置決め部材、ならびに、例えば、第２機構（凹部）５３６と後方エッジ５０８との間（例えば、図５に示すように、機構（凹部）５３６と後方エッジ５０８との間のほぼ中間）に位置する、ハウジング４０２に備えられるかまたはハウジング内に形成された突起部５４８の形状の、第２の左右方向カード位置決め部材もまた備える。図５にさらに示すように、ハウジング４０２の下面セクション５２０は、第１側面エッジ５１２に隣接して接続する第１側面部分５５２、および第２側面エッジ５１６に隣接して接続する第２側面部分５５６を有する。
【００５３】
図６に示すように、下面セクション５２０の第１側面部分５５２は、第１凹型下面ガイドおよび位置決め面（６１２として示す）をその中に形成し、一方、下面セクション５２０の第２側面部分５５６は、第２凹型下面ガイドおよび位置決め面（６１６として示す）をその中に形成している。面６１２および６１６は、カードコネクタ（示さず）のそれぞれのガイドまたは位置決めフィンガー（示さず）によって各々係合され得る。図６にさらに示すように、第２側面エッジ５１６は、例えば、上面セクション５２４から第２側面部分５５６まで伸長する切欠部６４０の形状の、カード挿入基準機構をその中に形成している。
【００５４】
図７は、図１〜３のＥＲＯＭカード１００の底面斜視図と図４〜６のＨＲＯＭカード４００の底面斜視図との並列図であり、これらのカードの構成の互換性を比較する。図６に示すように、ＨＲＯＭカード４００の種々の機構は、ＥＲＯＭカード１００の種々の機構に対応する。例えば、ＨＲＯＭカード４００は、電気接触インターフェース５２８（ＥＲＯＭカード１００の電気接触インターフェース１２８に対応する）；第１の保持および／または取り出し機構（凹部）５３２（ＥＲＯＭカード１００の第１の保持および／または取り出し機構（凹部）１３２に対応する）；および第２の保持および／または取り出し機構（凹部）５３６（ＥＲＯＭカード１００の第２の保持および／または取り出し機構（凹部）１３６に対応する）を有する。
【００５５】
図８および９によって、ＥＲＯＭカード１００およびＨＲＯＭカード４００の構成の互換性および相違点をさらに図解する。図８は、ＨＲＯＭカード４００をＥＲＯＭカード１００に重ね合わせた上面斜視図を提供し、第１上面隆起部８０２（隣接した側面エッジ５１２に沿って伸長する；第２上面隆起部８０６（隣接した側面エッジ５１６に沿って伸長する）；後方エッジ５０８に近接した第１上面隆起部８０２と第２上面隆起部８０６との間に形成され、これらを接続する内側湾曲後方部分８１０を備える上面セクション５２４を示す。図９は、ＥＲＯＭカード１００に重ね合わせたＨＲＯＭカード４００の側面図（図８とは逆の視点で、カード１００および４００の上面および下面は、それぞれ逆の順序で示される）を提供し、下面セクション５２０および下面セクション１２０はそれぞれ上向きに面し、上面セクション５２４および上面セクション１２４はそれぞれ下向きに面している。図７に見られるように、ＨＲＯＭカード４００の長さ（すなわち、前方エッジ５０４から後方エッジ５０８まで）は、ＥＲＯＭカード１００の長さ（すなわち、前方エッジ１０４から後方エッジ１０８まで）よりも長く、しかし、ＨＲＯＭカード４００の幅（すなわち、第１側面エッジ５１２から第２側面エッジ５１６まで）はＥＲＯＭカード１００の幅（すなわち、第１側面エッジ１１２から第２側面エッジ１１６まで）と、（わずかに広いが）同様である。図９もまた参照のこと。ＨＲＯＭカード４００およびＥＲＯＭカード１００のこのわずかに大きいが同様である幅は、後方互換カードリーダの同じカードコネクタコンポーネント内で、これらのカードがそれぞれ結合され、受けられ、挿入されるなどすることを可能にする。しかし、図９に示すように、ＨＲＯＭカード４００の側面エッジ５１２および５１６（カード４００に側面エッジガイド面を提供する）は、ＥＲＯＭカード１００の側面エッジガイド面３１２および３１６と十分に異なる構成である。そのため、ＨＲＯＭカード４００は、カードリーダのカードコネクタコンポーネント内の同じかまたは同様の位置に毎回、（図９に示さない突起部５４４および５４８を、単独でまたはＨＲＯＭカード４００が完全に挿入されたカード位置にあるカードコネクタの他の機構と組み合わせて用いて）繰り返し配置されまたは位置決めされ得、ホログラフィック記憶媒体４１６に記録、記憶などされたホログラフィックデータが、再現可能に、一貫して、そして正しく読み出され得る。同様に、図８および９にさらに示すように、第１上面隆起部８０２（上面セクション５２４由来）および第１側面エッジ５１２は、第１左右方向カード位置決め面、例えば第１側面エッジ５１２に隣接しかつ沿って伸長する切欠部８１２の形状の凹部を、その結合部でその中に形成している。一方、第２上面隆起部８０６（上面セクション５２４由来）および第２側面エッジ５１６は、第２左右方向カード位置決め面、例えば、第１側面エッジ５１２に隣接しかつ沿って伸長する切欠部８１６の形状の凹部を、その結合部でその中に形成している。そのため、ＨＲＯＭカード４００が、また、カードリーダのカードコネクタコンポーネント内で毎回繰り返し配置され得、ホログラフィック記憶媒体４１６に記録、記憶などされたホログラフィックデータが読み出され得る。
【００５６】
既存のＥＲＯＭカードコネクタは、ＨＲＯＭカードを受けられない場合がある。例えば、ＨＲＯＭカードの幅がより広ければ（例えば、図９にＨＲＯＭカード４００の実施態様について示される）、ＨＲＯＭカードは、幅がより狭いＥＲＯＭカード（例えば、図９にＥＲＯＭカード１００の実施態様について示される）を受ける既存のＥＲＯＭカードコネクタに挿入されることが妨げられる。実際、ＨＲＯＭカードをＥＲＯＭカード用の既存のカードコネクタまたはカードソケットに挿入可能でないものとすることは、ユーザーが、ＨＲＯＭカードがＥＲＯＭカード用の既存のカードコネクタで機能しまたは使用可能であると誤って思い込むことを防ぐために有用であり得る。したがって、（１）ＨＲＯＭカードおよびＥＲＯＭカードを両方受け得；（２）カードの機構を単独で、またはカードコネクタの他の機構と組み合わせて用いて、各カードをそれぞれ独自に配置しまたは位置決めすることができ；そして（３）各カードがそれぞれカードコネクタに挿入された場合に、２枚のカードを見分けることができるカードコネクタの設計により、各カードが、カードコネクタ（例えば、カードリーダと併せて）によって、独自に識別、使用などされるようにされ得る。例えば、カードコネクタ内へのＥＲＯＭカードまたはＨＲＯＭカードのいずれかの挿入後、挿入されたカードを電子的および／またはホログラフ的に読み出そうとする「識別読み出し」工程を実行することによって、カード識別が行われ得る。
【００５７】
図１０から２１は、例えば、カードソケット（大まかに１０００として示す）の形状の、カードコネクタの実施態様を図解し、これは、図１から３のＥＲＯＭカード１００の実施態様および図４から６のＨＲＯＭカード４００の実施態様を読み出し、使用しおよび／または表示するためのカードリーダと、別々にまたは一体的に用いられ得る。図１０から１２は、ＥＲＯＭカード１００をカードソケット１０００の種々のコンポーネント内にどのようにはめ込み、そして係合するかを図解する。カードソケット１０００は、略長方形または正方形状の外側主フレーム１００２を含む。外側フレーム１００２は、前部セグメント１００４；前部セグメント１００４から横方向に間隔を空けて前部セグメント１００４と略平行に配置された後部セグメント１００８；前部セグメント１００４と後部セグメント１００８とのそれぞれの一端を接続する第１側面セグメント１０１２；および第１側面セグメント１０１２から横方向に間隔を空けて第１側面セグメント１０１２と略平行に配置され、かつ、前部セグメント１００４と後部セグメント１００８のそれぞれの他方の端を接続する第２側面セグメント１０１６を含む。カードソケット１０００は、メモリカード受けセクション（大まかに１０２４として示す）を有する内側メモリカード受けフレーム１０２０、および、内側フレーム１０２０の分割セグメント１０３２によって分割された電気コネクタセクション１０２８をさらに含む。内側フレーム１０２０は、前部セグメント１０３６；前部セグメント１０３６から横方向に間隔を空けて前部セグメント１０３６と略平行に配置された後部セグメント１０４０；前部セグメント１０３６と後部セグメント１０４０のそれぞれの一端を接続する第１側面セグメント１０４４；第１側面セグメント１０４４から横方向に間隔を空けて第１側面セグメント１０４４と略平行に配置され、かつ、前部セグメント１０３６と後部セグメント１０４０のそれぞれの他方の端を接続する第２側面セグメント１０４８をさらに含む。図１０に示すように、分割セグメント１０３２は、第１側面セグメント１０４４および第２側面セグメント１０４８に接続され、前部セグメント１０３６に対して、後部セグメント１０４０のより近くに配置される。内側フレーム１０２０の前部セグメント１０３６は、外側フレーム１００２の前部セグメント１００４の内側面１０５２に接合、接続、固定などされ、一方、内側フレーム１０２０の後部セグメント１０４０は、外側フレーム１００２の後部セグメント１００４の内側面１０５６に接合、接続、固定などされる。内側フレーム１０２０の前部セグメント１０３６が外側フレーム１００２の前部セグメント１００４の内側面１０５２に接合、接続、固定などされる様式は、メモリカード挿入ポート（大まかに１０６０として示す）を提供する。
【００５８】
図１１および１２を参照して、カードソケット１０００は、下面カードカバーブラケット（大まかに１１０２として示す）をさらに含み、このブラケットは、可撓性、バネ状特性を有する適切な材料（例えば、ステンレス鋼などの金属薄板）製であり得る。ブラケット１１０２は、内側フレーム１０２０に接合、接続、固定などされ、かつ、前面エッジ１１０６および前面エッジ１１０６から横方向に間隔を空けて配置された後部エッジ１１０８を有する、略長方形または正方形状ベース部材１１０４を含む。ブラケット１１０２は、ベース部材１１０４の一方の側面エッジ１１１４に接続しそして側面エッジ１１１４から略直角にまたは直交して前部エッジ１００４から後部エッジ１００８まで伸長する第１側面壁１１１２、および、第１側面壁１１１２から横方向に間隔を空けて略平行に配置される第２側面壁１１１６をさらに含む。第２側面壁１１１６は、ベース部材１１０４の他方の側面エッジ１１１８に接続され、そして側面エッジ１１１８から略直角にまたは直交して、前部エッジ１００４から後部エッジ１００８まで伸長する。ブラケット１１０２は、通常、前部エッジ１１０６；後部エッジ１１０８；ならびに側面壁１１１２および１１１６のほぼ間にあるように規定されたメモリカード受けまたは挿入領域またはスロット（大まかに１１２０として示す）を提供する。
【００５９】
図１１および１２にさらに示すように、前部エッジ１１０６は、側面エッジ１１１４と１１１８との間に略弓状凹部１１２４を備え、一方、後部エッジ１１０８は、側面エッジ１１１４と１１１８との間に略長方形状凹部１１２８を備える。凹部１１２８によって、ブラケット１１０２は、カードソケット１０００の電気コネクタコンポーネント１１３６のベース部分１１３２を受けることができる。ベース部分１１３２は、後部セグメント１００８またはその近接部で、外側フレーム１１０２の下面１１４０に接合、接続、固定などされ得る。電気コネクタコンポーネント１１３６は、例えば、ベース部分１１３２にその一端で接合、接続、固定などされる電気接触フィンガー１１４４の形状の複数の電子接触部材をさらに含む。電気接触フィンガー１１４４の他端は、ベース部材１１０４に形成された略長方形状開口部１１４８を貫いて伸長する。図１１および１２にさらに示すように、ベース部材１１０４から形成された複数の片持ち梁様およびバネ様のカードバイアスエレメント１１５２−１から１１５２−３があり、これらは、カードが内側フレーム１０２０の位置決め面または機構に対して位置決めされた状態を保つように、ＥＲＯＭカード１００の下面セクション１２０またはＨＲＯＭカード４００の下面セクション５２０のそれぞれに対して、ベース部材１１０４から離れるように上向きのバイアス力を与える（以下に記載する）。図１１から１３に示すように、側面壁１１１２は、間隔を空けて配置された複数の略正方形状開口部１１６４−１から１１６４−３を有し、これらは、内側フレーム１０２０の側面セグメント１０４４から外向きに突出する保持部材１１６８−１から１１６８−３をそれぞれ受け、これにより、ブラケット１１０２を内側フレーム１０２０に（そしてその結果カードソケット１０００に）固定するための１つの手段またはメカニズムを提供する。図１３に示すように、同様の開口部１１７６が側面壁１１１６に形成され得、この開口部は、内側フレーム１０２０の側面セグメント１０４０から外向きに突出する１１６８と同様の保持部材（示さず）を受ける。
【００６０】
図１３を参照して、ブラケット１１０２は、上部メモリカード係合面１２０４を備える。ブラケット１１０２は、保持および／または取り出しメカニズム（大まかに１２１２として示す）もまた備え、このメカニズムは、保持および／または取り出し機構１３２および／または１３６と係合し得、側面壁１１１２に近接または隣接して配置される。図１３にさらに示すように、ブラケット１１０２は、前後方向カード位置決めメカニズム（大まかに１２１６として示す）もまた備え、このメカニズムは、例えば、ＨＲＯＭカード４００の側面エッジ５１６に形成される切欠部６４０の形状の前後位置決め方向機構と係合し得る（以下にさらに記載する）。前後方向カード位置決めメカニズム１２１６は、側面壁１１１６に近接または隣接して配置され、クリップ部材１２２０（メカニズム１２１２と一体的に形成され得る）によって（例えば、留め具によって（示さず））、セグメント１０４８の下面に固定、取り付け、留めるなどされる。
【００６１】
図１４および１５を参照して、保持および／または取り出しメカニズム１２１２は、クリップ部材１３０４を含み、クリップ部材１３０４は、上部面１２０４に対して略直角にまたは直交して上向きに伸長するように示される略垂直に固定するリブ部分１３０８；リブ部分１３０８から側面壁１１１２に向かって略直角にまたは直交して伸長するように示される略水平の主部分１３１０；および主部分１３１０のエッジ１３１６から略直角にまたは直交して略上向きに伸長するように示される垂直部分１３１２を有する。主部分１３１０は、クリップ部材１３０４を、例えば、留め具（示さず）によって、側面セグメント１０４４の下面に固定、取り付け、留めるなどするために使用される。主部分１３１０は、主部分１３１０から略外側および上向きに伸長する略円状突起部１３２０、および、主部分１３１０の突起部１３２０に近接するエッジ１３２４から後方エッジ１３２６に向かって略斜めおよび上向きに伸長するバネ様片持ち梁セグメント１３２２を備える。片持ち梁セグメント１３２２は、細長スロット１３２８を備え、これは、片持ち梁セグメント１３２２のバネ様作用をより「穏やか」にし、これによりセグメント１３２２によって付与される上向きのバイアス力を低減させる。メカニズム１２１２は、滑動部材１３３４；細長略Ｕ状リンク１３３８（セグメント１３２２がリンク１３３８の下に横たわるように、片持ち梁セグメント１３２２を主部分の平面に向かって下向きに曲げる）；および後方エッジ１３２６に近接する一端１３４４を有するコイルバネ１３４２の形状のバイアス部材をさらに含む。滑動部材１３３４は、バネ１３４２によって囲まれる略円筒状のシャフト１３４８を備え、このシャフトに沿ってバネ１３４２が横方向に動き得る。滑動部材１３３４は、ＥＲＯＭカード１００の第１取り出しおよび／または保持機構１３２と解放可能に係合するように配置される内向きに突出する第１係合部材１３５２、ならびにＥＲＯＭカード１００の第２取り出しおよび／または保持機構１３６と解放可能に係合するように配置される内向きに突出する第２係合部材１３５６をさらに備える（以下にさらに記載する）。
【００６２】
図１４を参照して、前後方向カード位置決めメカニズム１２１６は、細長係合部材（大まかに１３６４として示す）をさらに含み、この部材は、クリップ部材１２２０に接続されるかまたはクリップ部材１２２０と一体であり、そしてＨＲＯＭカード４００の切欠部６４０と解放可能に係合し得る略Ｖ状プロング（prong）１３６８をその一端に有する（以下にさらに記載する）。
【００６３】
図１６を参照して、リンク１３３８は、略水平に伸長するシャフト１５０４、シャフト１５０４の一端から上向きに伸長する第１前方プロング１５０８、およびシャフト１５０４の他端から上向きに伸長する第２後方プロング１５１２を備える。シャフト１５０４は、片持ち梁セグメント１３２２のフリーの、取り付けられていない端部と接触し（それにより、セグメントが変形されていない位置に戻るのを防ぐ）、クリップ部材１３０４に対するリンク１３３８の横方向の配置は、第１プロング１５０８が（図１５および１７に示すように変形された状態で）片持ち梁１３２２によって、円状突起部１３２０に沿って、例えば、側面セグメント１０４０に形成された円筒状凹部（示さず）にバイアスをかけられることによって比較的固定および制限されるが、第１プロング１５０８によって規定された軸の周囲をリンク１３３８が少なくともある程度回転することを許容する。片持ち梁セグメント１３２２は、後方プロング１５１２にも、滑動部材１３３４に形成されるカム（cam）凹部へバイアスをかける（図１６とともに以下にさらに説明され、そして図１６に示す）。図１６にさらに示すように、滑動部材１３３４は、前方端１５２０を有する上部部分１５１６；上部部分１５１６から下向きに伸長する後方部分１５２４；上部部分１５１６から下向きに伸長しかつ機構１５３０を有する第１側面部分１５２８（機構１５３０は前方端１５２０に近接し第１側面部分１５２８から外側に伸長する）（滑動部材１３３４がわずかに横に動くまたは「振動」するようにして、係合機構１３５６および１３５２が、ＥＲＯＭカード１００またはＨＲＯＭカード４００のそれぞれの凹部１３２／５３２および１３６／５３６によって係合され得るようにする。滑動部材１３３４はカード１００または４００が例えば係合機構１３５６と接触してバネ１３４２を圧迫し始めるのに応じて、まず横方向に動く）；上部部分１５１６から下向きに伸長する第２側面部分１５３２を含み、第１係合部材１３５２および第２係合部材１３５６は第２側面部分から外側に伸長する。側面部分１５２８および１５３２は上部部分１５１６のどちらかの側面に配置され、これらの側面部分が片持ち梁セグメント１３２２のどちらかの側面に配置されるようにし、これにより滑動部材１３４４がセグメント１３２２に対して横前方（または後方）に自由に動くことができる（以下にさらに示す）。シャフト１３４８がバネ１３４２内で後方にスライドするので、後方部分１５２４（連続的に接触し得る）はバネ１３４２の前端１５３４と係合し、それによりバネ１３４２を圧迫する（以下にさらに記載する）。
【００６４】
図１６および１７を参照して、上部部分１５１６、後方部分１５２４ならびに第１および第２側面部分１５２８および１５３２によって、中空領域１５３６が規定される。図１５に示すように、上部部分１５１６は、その下面１５４４に形成された略Ｙ状カム凹部１５４０を有する。下面１５４４の半島状突出機構１５４８は、カム凹部１５４０のフォーク状部分１５５０に伸長し、一方、島状突出機構１５５２は、フォーク状部分１５５０内に配置され、後方細長スロット１５６０；細長スロット１５６０から伸長し前方端１５６６に終着する第１分岐スロット１５６４；後方スロット１５６０から伸長し前方端１５７０に終着する第２分岐スロット１５６８；ならびに第１分岐スロット１５６４および第２分岐スロット１５６８に各端で接続する短横断スロット１５７２を規定する。機構１５４８は、後方プロングを受けロックする切欠部１５７６を有する。滑動部材１３３４の横前方または後方移動に応じて、そしてＥＲＯＭカード１００のそれぞれの保持および／または取り出し機構（凹部）１３２および１３６による第１係合部材１３５２および第２係合部材１３５６の係合に応じて、後方プロング１５１２は、後方スロット１５６０、分岐スロット１５６４もしくは１５６８、または横断スロット１５７２内で動くように方向付けられ得、これらは、後方プロング１５１２の動きをこれらのスロット内に方向付けるように形成、構成などされた面を有し得、滑動部材１３３４が（主に）横前方または後方に動くか、または、カード受け／挿入領域／スロット１１２０に向かってわずかに内側もしくは側面壁１１１２に向かってわずかに外側に動くまたは「振動」するかどうかによって、カード１００／４００の凹部１３２／５３２および１３６／５３６に応じて、係合部材１３５２および１３５６と係合／解放する（以下にさらに記載する）。
【００６５】
図１８を参照して、内側フレーム１０２０の下面の斜視図は、カードソケット位置に完全に挿入されたカード位置にあるときに、ＥＲＯＭカード１００またはＨＲＯＭカード４００を繰り返し位置決めするための機構について図解する。図１８に示すように、一対の間隔を空けて配置された大きなＥＲＯＭカード位置決め部材１８０４および１８０８が備えられる。３つの小さなＨＲＯＭカード位置決め部材１８１２、１８１６および１８２０もまた備えられる。図１８に示すように、ＨＲＯＭカード位置決め部材１８１２は、側面セグメント１０４４に近接して、かつ前部セグメント１０３６に近い方にまたはより密接した方に配置される。図１８にさらに示すように、ＨＲＯＭカード位置決め部材１８１６および１８２０は側面セグメント１０４８に近接して配置され、ＨＲＯＭカード位置決め部材１８１６は前部セグメント１０３６により近い方にまたはより密接した方に配置され、一方、ＨＲＯＭカード位置決め部材１８２０は後部セグメント１０４０により近い方にまたはより密接した方に配置される。図１９（円部分１８２４の拡大図を示す）を参照して、ＥＲＯＭカード位置決め部材１８０８（ＥＲＯＭカード位置決め部材１８０４と同様に構成される）は、内側略垂直側面壁１９０４；接続エッジ１９１０で側面壁１９０４から直角に伸長する略平面および水平のＥＲＯＭカード位置決め面１９０８；および接続エッジ１９１６でＥＲＯＭカード位置決め面１９０８から略直角に伸長する略垂直のＥＲＯＭカード位置決めショルダー１９１２を含む。図１９にさらに示すように、側面セグメント１０４８は、略平面および水平の下面１９２４（図１９において、略水平にかつ面１９０８よりも高い位置に／上に移動させて配置される）を備え、この面は、接続エッジ１９２８でＥＲＯＭカード位置決めショルダー１９１２から略直角に伸長する。図１９に示すように、ＨＲＯＭカード位置決め部材１８１６（ＨＲＯＭカード位置決め部材１８１２および１８１８を代表する）は、面１９２４から離れるように外側に突き出て、略正方形状の水平および平面のＨＲＯＭ位置決め面１９３２、ならびに、面１９３２の上部エッジ１９４４および１９４８にそれぞれ隣接しまたは側面に位置する一対の丸みを帯びたフランジ１９３６および１９４０を含む。図１９にさらに示すように、側面セグメント１０４８の下面（図１９において、略水平にかつ面１９２４よりも高い位置に／上に移動させて配置される）は、接続エッジ１９５６で面１９２４から略直角に伸長する略垂直のＨＲＯＭカード位置決めショルダー１９５２をさらに備え、そして、接続エッジ１９５６から垂直方向に間隔を空けて配置される上部ＨＲＯＭカード切欠係合エッジ１９６０をさらに含む。
【００６６】
ＥＲＯＭカード１００がカードソケット１０００とともに使用中の場合、ＥＲＯＭは挿入ポート１０６０に挿入され得、そして次いで、部分的に挿入されたカード位置で領域／スロット１１２０内で受けられる。ＥＲＯＭカード１００を後方エッジ１１０８／後方セグメント１００８に向かって領域／スロット１１２０内に挿入している間、側面エッジ１１２の凹部１３６は滑動部材１３３４の第１係合部材１３５２を受けそして係合し、続いて側面エッジ１１２の凹部１３６は滑動部材１３３４の第２係合部材１３５６を受けそして係合する。滑動部材１３３４が後方エッジ１１０８／前方エッジ１００４に向かって横後方に移動するにつれ、そして凹部１３６および１３２が係合部材１３５６および１３５２にそれぞれ係合するのに応じて、後方部分１５２４は、バネ１３４２と係合しそしてバネ１３４２を圧迫する。後方プロング１５１２はまた、滑動部材１３３４が後部エッジ１１０８／後部セグメント１００８に向かって横後方に移動するにつれ、カム凹部１５４０内で前方に移動する。滑動部材１３３４を比較的固定された位置でロックするために、ＥＲＯＭカード１００は、（必要なだけ）前面エッジ１１０６に向かってわずかに前方に動かされ、それにより、バネ１３４２の圧迫を部分的に減少させ、そして後方プロング１５１２が（バネ１３４２のバイアス力によって）ロック用切欠部１５７６内に到達しロックされることを可能にし、このようにＥＲＯＭカード１００について完全に挿入されたカード位置を達成する。ＥＲＯＭカード１００を領域／スロット１１２０内に挿入する過程において、カードバイアスエレメント１１５２−１から１１５２−３が、下面セクション１２０を押し付け、ＥＲＯＭカード位置決め部材１８０８のＥＲＯＭカード位置決め面１９０８およびＥＲＯＭカード位置決め部材１８０４のＥＲＯＭカード位置決め面１９７２に対して上向きに圧迫することによって、上面セクション１２４／上面ガイド面３２４の側面エッジが側面セグメント１０４４および１０４８の上部内側面に押し付けられる。ＥＲＯＭカード位置決めショルダー１９１２と対応するＥＲＯＭカード位置決めショルダー（示さず）（ショルダー１９１２と同様であり、ＥＲＯＭカード位置決め部材１８０４に近接する）との間の距離が、ＥＲＯＭカード１００の幅（側面エッジ１１２および１１６により規定される）よりもわずかに広いので、側面エッジ１１２および１１６は、それぞれのＥＲＯＭカード位置決めショルダーに収容されおよび押し付けられ、それによりＥＲＯＭカード１０を左右方向および上下方向に繰り返し位置決めする。
【００６７】
ＥＲＯＭカード１００を取り出すために、ＥＲＯＭカード１００は、後方エッジ１１０８／後方セグメント１００８に向かってわずかに押し得、ロック用切欠部１５７６から後方プロング１５１２を解放する。一度後方プロング１５１２が解放されると、滑動部材１３３４は、前面エッジ１１０６／前部セグメント１００４に向かって横前方に動き得（解放されるようにバネ１３４２によってもたらされるバイアス力のために）、ＥＲＯＭカード１００が（凹部１３６および１３２が、係合部材１３５６および１３５２と未だ係合しているため）部分的に取り出されたカード位置に動く。係合部材１３５６および１３５２が凹部１３６および１３２から解放されるにつれ、ＥＲＯＭカード１００が前面エッジ１１０６／前部セグメント１００４に向かって横前方に動き続け、ＥＲＯＭカード１００は完全に取り出されたカード位置に到達し、ＥＲＯＭ１００がポート１０６０を通ってカードソケット１０００から取り出され得る。係合部材１３５２および１３５６とそれぞれの凹部１３２および１３６との間には多少の「遊び」または隙間があり得、取り出し操作の間、係合部材１３５２および１３５６が凹部１３２および１３６からより容易に開放されることを可能にする。
【００６８】
図２０および２１は、ＨＲＯＭカード４００がポート１０６０を通って挿入されたときのカードソケット１０００を図解する。ＨＲＯＭカード４００についての挿入および取り出し過程は、先に記載したＥＲＯＭカード１００についての過程と同様であり、以下にさらに記載する。完全に挿入されたカード位置（図２１に部分的に記載する）では、メカニズム１２１２は保持／取り出し機構（凹部）５３２および５３６と係合し、一方、前後方向カード位置決めメカニズム１２１６は前後方向カード位置決め切欠部６４０と係合する。第２係合部１３５６は、ＨＲＯＭカード４００の側面エッジ５１２を押し付け、それにより、側面エッジ５１６に沿った参照機構（突起部）５４４および５４８を、側面セグメント１０１２の内側面１８ＸＸと係合させ、ＨＲＯＭカード４００がカードソケット１０００内で左右方向（例えば、側面セグメント１０１２から側面セグメント１０１６までの方向によって規定される）に位置決めされる。前後方向カード位置決めメカニズム１２１６のＶ状プロング１３６８は、ＨＲＯＭカード４００の前後方向位置決め機構（例えば、切欠部６４０）と係合し、それにより、カード４００を、カードソケット１０００の前後方向（例えば、前部セグメント１００４から後部セグメント１００８までの方向によって規定される）に繰り返し位置決めする。メカニズム１２１２（保持／取り出し機構（凹部）５３２および５３６と係合する）には、ＨＲＯＭカード４００が前後方向位置決めメカニズム１２１６と係合する前後方向位置決め切欠部６４０の組み合わせによって前後方向に配置され得るように、前後方向に十分な「遊び」がなければならない。さらに、ＨＲＯＭカード４００（側面エッジ５１２および５１６によって規定される）は、ＥＲＯＭカード位置決めショルダー１９１２と対応するＥＲＯＭカード位置決めショルダー（示さず）（ショルダー１９１２と同様であり、ＥＲＯＭカード位置決め部材１８１２に近接する）との間の距離よりもわずかに広い。そのため、ＨＲＯＭカード４００の上面隆起部８０２および８０６は、それぞれのＨＲＯＭカード位置決め部材１８１２、１８１６および１８２０のＨＲＯＭカード位置決め面（例えば、面１９３２）に上向きに押し付けられる（カードバイアスエレメント１１５２−１から１１５２−３によってもたらされる上向きのバイアス力が下面セクション５２０を押し付けるため）。また、切欠部８１６は、ＨＲＯＭカード切欠係合エッジ１９６０に係合し、収容されおよび押し付けられ、一方、切欠部８１２は、ＨＲＯＭカード切欠係合エッジ（示さず）（側面セグメント１０４４の下面のエッジ１９６０と同様である）に係合し、収容されおよび押し付けられ、それによりＨＲＯＭカード４００を左右方向および上下方向に繰り返し位置決めする。
【００６９】
本発明は、添付の図面を参照してそのいくつかの実施態様とともに十分に記載したが、種々の変更および改変が当業者に明らかであることが理解されるべきである。このような変更および改変は、添付の請求項から逸脱しない限り、添付の請求項により規定されるような本発明の範囲内に含まれるものとして理解されるべきである。
【００７０】
本出願で引用したすべての文書、特許、学術論文および他の資料は、参照により本明細書に援用される。
【図１】
2010533341.tif 000003
【図２】
2010533341.tif 000004
【図３】
2010533341.tif 000005
【図４】
2010533341.tif 000006
【図５】
2010533341.tif 000007
【図６】
2010533341.tif 000008
【図７】
2010533341.tif 000009
【図８】
2010533341.tif 000010
【図９】
2010533341.tif 000011
【図１０】
2010533341.tif 000012
【図１１】
2010533341.tif 000013
【図１２】
2010533341.tif 000014
【図１３】
2010533341.tif 000015
【図１４】
2010533341.tif 000016
【図１５】
2010533341.tif 000017
【図１６】
2010533341.tif 000018
【図１７】
2010533341.tif 000019
【図１８】
2010533341.tif 000020
【図１９】
2010533341.tif 000021
【図２０】
2010533341.tif 000022
【図２１】
2010533341.tif 000023
【国際調査報告】
2010533341.tif 000024